(57)【要約】【課題】ユーザが誤ってデータを記録している側のメモリカードを本体から取り出してしまうのを防止することで、信頼性の向上を図った携帯端末を提供する。【解決手段】ワンセグ放送受信機１は、２つのメモリカード１０をセットすることができる。ワンセグ放送受信機１は、データを記録しているメモリカード１０が収納されているカード収納部１３のカードドア１１を閉状態で維持する。このため、ユーザが、誤ってデータを記録している側のメモリカード１０を本体から取り出すのを、防止することができる。その結果、取り出したメモリカード１０内に記録されているデータの破壊や、装置本体のハードウェアの故障等が防止でき、信頼性の向上が図れる。【選択図】図２
2008263428.tif 000002
【特許請求の範囲】
【請求項１】
２つの媒体収納部を有し、選択されている媒体収納部に収納されている記録媒体に対してデータの記録を行う媒体処理部を備えた携帯端末において、
前記媒体収納部毎に設けられた媒体ドアを、個別に閉状態でロックするロック機構部と、
前記媒体ドア毎に、前記ロック機構部によるロック状態を解除するロック解除機構部と、
前記媒体処理部がデータの記録を行っている記録媒体が収納されている前記媒体収納部に対して、前記ロック解除機構部による前記媒体ドアのロック状態の解除を禁止するロック解除制限部と、を備えた携帯端末。
【請求項２】
前記媒体処理部が選択されている媒体収納部に収納されている記録媒体に対してデータの記録を行っているときに、当該記録媒体の空き容量不足により、新たなデータの記録が行えない状態になると、この時点で選択されていない側の媒体収納部に収納されている記録媒体を選択し、データの記録を継続する選択切換手段を備えた請求項１に記載の携帯端末。
【請求項３】
画像データを取り込む画像データ取込手段を備え、
前記媒体処理部は、前記画像データ取込手段が取り込んだ画像データを、選択されている媒体収納部に収納されている記録媒体に記録する手段である、請求項１または２に記載の携帯端末。
【発明の詳細な説明】
【技術分野】
【０００１】
この発明は、本体の媒体収納部に収納されている記録媒体に対してデータを記録する携帯端末に関する。
【背景技術】
【０００２】
従来、ユーザが持ち歩いて使用する携帯端末として、ワンセグ放送受信機、撮像装置、音楽プレイヤ等が実用化されている。この種の携帯端末は、本体に取り込んだデータを、本体にセットされているメモリカードに記録することができる。携帯端末は、ユーザの使い勝手を考慮し、メモリカードを本体に対して着脱自在に構成している。すなわち、ユーザが使用用途等に応じて、データを記録するメモリカードを自由に交換できる。
【０００３】
また、メモリカードは、記録できるデータの容量が限られていることから、メモリカードにデータを記録しているときに、メモリカードの空き容量がなくなると、データの記録が継続できない状態になる。そこで、２つのメモリカードを本体にセットすることができる装置が提案されている（特許文献１参照）。この装置は、データの記録を一方のメモリカードに対して行っているときに、このメモリカードの空き容量がなくなると、データを記録するメモリカードを他方のメモリカードに切り換え、データの記録を継続する構成である。また、この特許文献１では、空き容量がなくなったメモリカードを、本体から排出することにより、メモリカードの交換にかかるユーザの手間を削減し、使い勝手を向上させることも提案している。
【特許文献１】特開２００５−２２９４２８号公報
【発明の開示】
【発明が解決しようとする課題】
【０００４】
しかしながら、２つのメモリカードを本体にセットすることができる従来の携帯端末では、ユーザが一方のメモリカードを交換するときに、誤ってデータを記録している側のメモリカードを本体から取り出すことがあった。この場合、データの記録が中断されるだけでなく、取り出したメモリカード内に記録されているデータの破壊や、装置本体のハードウェアの故障等をともなうこともある。
【０００５】
なお、特許文献１も、データを記録しているメモリカードが本体から取り出されるのを防止するものではない。
【０００６】
この発明の目的は、ユーザが誤ってデータを記録している側のメモリカードを本体から取り出してしまうのを防止することで、信頼性の向上を図った携帯端末を提供することにある。
【課題を解決するための手段】
【０００７】
この発明の携帯端末は、上述の課題を解決し、その目的を達成するために、以下のように構成している。
【０００８】
この携帯端末は、２つの媒体収納部を有しており、選択されている媒体収納部に収納されている記録媒体に対してデータの記録を行う媒体処理部を備えている。媒体ドアが、前記媒体収納部毎に設けられている。各媒体ドアは、ロック機構部により閉状態でロックされる。ロック解除機構部は、前記ロック機構部によるロック状態を前記媒体ドア毎に解除する。すなわち、媒体ドア毎に、ロック機構部によるロック状態を解除することができる。そして、ロック解除制限部が前記媒体処理部がデータの記録を行っている記録媒体が収納されている前記媒体収納部に対して、前記ロック解除機構部による前記媒体ドアのロック状態の解除を禁止する。すなわち、記媒体処理部がデータの記録を行っている記録媒体が収納されている前記媒体収納部の媒体ドアは、閉状態で維持される。したがって、ユーザが、誤ってデータを記録している側のメモリカードを本体から取り出してしまうのを防止することができる。その結果、取り出したメモリカード内に記録されているデータの破壊や、装置本体のハードウェアの故障等が防止でき、信頼性の向上が図れる。
【０００９】
また、前記媒体処理部が選択されている媒体収納部に収納されている記録媒体に対してデータの記録を行っているときに、当該記録媒体の空き容量不足により、新たなデータの記録が行えない状態になると、この時点で選択されていない側の媒体収納部に収納されている記録媒体を選択し、データの記録を継続するように構成してもよい。
【００１０】
さらに、画像データ取込手段で取り込んだ画像データを、選択されている媒体収納部に収納されている記録媒体に記録するように構成してもよい。
【発明の効果】
【００１１】
この発明によれば、ユーザが誤ってデータを記録している側のメモリカードを本体から取り出してしまうのを防止できるので、信頼性の向上が図れる。
【発明を実施するための最良の形態】
【００１２】
以下、この発明の実施形態について説明する。
【００１３】
図１は、この発明の実施形態であるワンセグ放送受信機の主要部の構成を示すブロック図である。また、図２は、このワンセグ放送受信機の概略の外観図である。このワンセグ放送受信機１は、制御部２と、受信部３と、記録部４と、操作部５と、出力部６と、開閉部７と、を備えている。このワンセグ放送受信機１は、ワンセグ放送で放送されている番組等を受信し、その番組を視聴することができる携帯端末である。受信部３は、ワンセグ放送にかかる放送信号を受信するチューナである。この受信部３が、この発明で言う画像データ取込手段に相当する。記録部４は、受信部３で受信しているワンセグ放送を本体にセットされているメモリカード１０に記録する。この記録部４が、この発明で言う媒体処理部に相当する。記録部４には、２つのメモリカード１０ａ、１０ｂがセットできる。記録部４は、受信部３で受信しているワンセグ放送を、その時点で選択されている側のメモリカード１０ａ（または１０ｂ）に記録する。また、記録部４は、選択されている側のメモリカード１０ａ（または１０ｂ）に記録されているデータを読み出し、再生することもできる。操作部５は、本体に対するユーザの入力操作を受け付ける。ユーザが操作する操作キー５ａは、図２に示すように、本体表面に配置している。また、出力部６は、受信部３で受信しているワンセグ放送にかかる映像を、本体表面に配置した表示器６ａに表示するとともに、図示していないスピーカから音声を放出する。開閉部７は、本体側面に設けられた２つのカードドア１１（１１ａ、１１ｂ）の開閉を行う。図２に示すように、カードドア１１ａ、１１ｂ毎に、開ボタン１２ａ、１２ｂが設けられている。通常時、開ボタン１２ａが押下されると、開閉部７によりカードドア１１ａが開され、開ボタン１２ｂが押下されるとカードドア１１ｂが開される。制御部２は、開閉部７がカードドア１１ａ、１１ｂを開するのを禁止する機能を有している。この機能の詳細については後述するが、この機能が本願発明で言うロック解除制限部にかかる機能である。また、開閉部７が、この発明で言うロック解除手段に相当する。
【００１４】
ここで、図３を参照しながらカードドア１１周辺の構造について説明する。図３は、カードドア周辺部の拡大図である。図３（Ａ）は、カードドアが閉している状態を示しており、図３（Ｂ）は、カードドアのロックが解除された直後の状態を示しており。さらに図３（Ｃ）は、カードドアが開している状態を示している。図３では、一方のカードドア１１ａについて図示しているが、他方のカードドア１１ｂについても同じ構成である。カードドア１１ａの内側には、カード収納部１３が形成されている。カードドア１１ａを開することにより、カード収納部１３へのメモリカード１０ａの挿入や、カード収納部１３からのメモリカード１０ａの取出が行える。言い換えれば、カードドア１１ａが閉しているときには、カード収納部１３へのメモリカード１０ａの挿入や、カード収納部１３からのメモリカード１０ａの取出が行えない。カードドア１１ａは、本体に対して回動自在に取り付けられている。カードドア１１ａが回動する回動軸には、ねじりバネ（不図示）が取り付けられている。カードドア１１ａは、このねじりバネにより開する方向に付勢されている。
【００１５】
また、カードドア１１ａには、Ｌ字形状のロック部材１４の先端が嵌挿される嵌挿穴１５が形成されている。ロック部材１４は、カードドア１１ａが閉位置にあるときに、その先端が嵌挿穴１５に嵌挿されるように、本体に取り付けている（図３（Ａ）参照）。このロック部材１４が、この発明で言うロック機構部に相当する。ロック部材１４は、弾力性を有する樹脂で構成している。開閉部７は、モータやソレノイド等を用いて、このロック部材１４を弾性変形させ（図３において、紙面に垂直な方向に引き上げることで弾性変形させる。）、このロック部材１４の先端をカードドア１１ａの嵌挿穴１５から抜き取る（図３（Ｂ）参照）。これにより、カードドア１１ａのロック状態が解除され（ロック解除状態になり）、当該カードドア１１ａがねじりバネの付勢力により回動し、開状態になる（図３（Ｃ）参照）。開閉部７は、カードドア１１ａを開するときに、一時的にロック部材１４をモータやソレノイド等を用いて弾性変形させるだけで、すぐに元の状態（図３において、紙面に垂直な方向に引き上げていない状態）に戻す。
【００１６】
なお、カードドア１１ａを閉するときには、ユーザがカードドア１１ａを閉位置へ押圧するので、このカードドア１１ａに押圧されてロック部材１４が弾性変形する。ユーザが押圧しているカードドア１１ａの嵌挿穴１５が、ロック部材１４の先端位置に達すると、ロック部材の先端が嵌挿穴１５に入り込み、カードドア１１ａが閉状態でロックされる。
【００１７】
次に、このワンセグ放送受信機１の動作について説明する。このワンセグ放送受信機１は、ワンセグ放送にかかる放送信号を受信部３で受信する。ユーザは、受信部３で受信するチャンネルを、操作部５で選局する。出力部６は、受信部３で受信されている放送信号にかかる映像を表示器６ａに表示するとともに、図示していないスピーカから音声を放出する。ワンセグ放送受信機１におけるワンセグ放送の受信については公知であるので、ここでは詳細な説明を省略する。また、このワンセグ放送受信機１は、メモリカード１０に記録されているデータを読み出し、当該データに基づくる映像を表示器６ａに表示するとともに、図示していないスピーカから音声を放出する再生機能も有している。
【００１８】
また、ワンセグ放送受信機１は、受信部３で受信している放送信号にかかる映像および音声を、本体に挿入されているメモリカード１０に記録することができる。図４は、ワンセグ放送受信機における記録処理を示すフローチャートである。ワンセグ放送受信機１は、操作部５においてワンセグ放送の記録にかかる入力操作が行われると、図４に示す記録処理を開始する。まず、一方のカード収納部１３にメモリカード１０が挿入されているかどうかを判定する（ｓ１）。ここで一方のカード収納部１３にメモリカード１０が挿入されていなければ他方のカード収納部１３にメモリカード１０が挿入されているかどうかを判定する（ｓ２）。ｓ２で他方のカード収納部１３にもメモリカード１０が挿入されていなければ、今回の記録処理を中止し、本処理を終了する。このとき、メモリカード１０が挿入されていないことを通知するメッセージを、表示器６ａに表示してもよい。
【００１９】
ワンセグ放送受信機１は、ｓ１で一方のカード収納部１３にメモリカード１０が挿入されていると判定すると、このメモリカード１０の空き容量を確認し、受信しているワンセグ放送の記録が行えるかどうかを判定する（ｓ３）。ｓ３で、空き容量がなく、受信しているワンセグ放送の記録が行えないと判定すると、ｓ２にジャンプする。また、ワンセグ放送受信機１は、ｓ２で一方のカード収納部１３にメモリカード１０が挿入されていると判定すると、このメモリカード１０の空き容量を確認し、受信しているワンセグ放送の記録が行えるかどうかを判定する（ｓ４）。ｓ４は、ｓ３と同様の処理である。ｓ４で、空き容量がなく、受信しているワンセグ放送の記録が行えないと判定すると、今回の記録処理を中止し、本処理を終了する。このとき、メモリカード１０の空き容量がなく記録できない旨を通知するメッセージを、表示器６ａに表示してもよい。
【００２０】
ワンセグ放送受信機１は、ｓ３、またはｓ４で受信しているワンセグ放送の記録が行えると判定すると、受信部３で受信している放送信号にかかる映像および音声を、本体に挿入されているメモリカード１０に記録する処理を開始する（ｓ５）。ｓ５では、ｓ３またはｓ４で空き容量があると判定したメモリカード１０に対して、受信部３で受信している放送信号にかかる映像および音声を記録する。
【００２１】
ワンセグ放送受信機１は、メモリカード１０に対する記録終了タイミングになるか（ｓ６）、映像および音声を記録しているメモリカード１０の空き容量がなくなるか（ｓ７）、開ボタン１２ａまたは１２ｂが押下されるのを待つ（ｓ８）。ワンセグ放送受信機１は、メモリカード１０に対する記録終了タイミングになると、ｓ５で開始したメモリカード１０に対する記録を停止し（ｓ９）、本処理を終了する。
【００２２】
また、ワンセグ受信機１は、映像および音声を記録しているメモリカード１０の空き容量がなくなると、反対側のカード収納部１３にメモリカード１０が挿入されているかどうかを判定する（ｓ１０）。ワンセグ受信機１は、メモリカード１０が挿入されていれば、このメモリカード１０の空き容量を確認し、受信しているワンセグ放送の記録が行えるかどうかを判定する（ｓ１１）。ｓ１０でメモリカードが挿入されていない、またはｓ１１で空き容量がなく、受信しているワンセグ放送の記録が行えないと判定すると、ｓ９でメモリカード１０に対する記録を停止し、本処理を終了する。このとき、ワンセグ放送の記録が継続できないことを、ＯＳＤで表示器６ａに表示してもよい。
【００２３】
ワンセグ放送受信機１は、ｓ１１で受信しているワンセグ放送の記録が行えると判定すると、記録するメモリカード１０を切り換え（ｓ１２）、受信しているワンセグ放送の記録を継続する。このように、受信しているワンセグ放送の記録途中に一方のメモリカード１０の空き容量がなくなっても、受信しているワンセグ放送を、本体に挿入されている他方のメモリカード１０に記録することができる。ワンセグ放送受信機１は、ｓ１２で記録するメモリカード１０を切り換えると、これまで記録していたメモリカード１０（空き容量がなくなったメモリカード１０）が挿入されている側のカードドア１１ａ（または１１ｂ）を開し（ｓ１３）、ｓ６に戻る。ｓ１３では、制御部２が開閉部７に対して、該当する側にカードドア１１ａ（または１１ｂ）の開を指示する。開閉部７は、この指示にしたがって、該当する側のロック部材１４を駆動し、該当する側のカードドア１１ａ（または１１ｂ）をロック解除状態にする。これにより、ユーザは、空き容量がなくなったメモリカード１０の交換が簡単に行える。また、このとき、メモリカード１０の空き容量がなくなった旨のメッセージを、表示器６ａにＯＳＤで表示し、このことをユーザに認識させてもよい。
【００２４】
また、ワンセグ放送受信機１は、開ボタン１２ａまたは１２ｂが押下されると、押下された開ボタン１２ａ（または１２ｂ）に対応するカードドア１１ａ（または１１ｂ）が、受信しているワンセグ放送を記録しているメモリカード１０側であるかどうかを判定する（ｓ１４）。ワンセグ放送受信機１は、ｓ１４でワンセグ放送を記録しているメモリカード１０側であると判定すると、今回の開ボタン１２ａ（または１２ｂ）の押下を無視、ｓ６に戻る。すなわち、ワンセグ放送を記録しているメモリカード１０側のカードドア１１ａ（または１１ｂ）は、開ボタン１２ａ（または１２ｂ）が押下されても開しない。この機能が本願発明で言うロック解除制限部にかかる機能である。これにより、ユーザが誤ってデータを記録している側のメモリカード１０を本体から取り出すのを防止でき、信頼性の向上が図れる。また、このとき、ワンセグ放送を記録しているメモリカード１０側である旨のメッセージを、表示器６ａにＯＳＤで表示し、このことをユーザに認識させてもよい。
【００２５】
また、ワンセグ放送受信機１は、ｓ１４でワンセグ放送を記録しているメモリカード１０側でないと判定すると、押下された開ボタン１２ａ（または１２ｂ）に対応する側のカードドア１１ａ（または１１ｂ）を開し（ｓ１５）、ｓ６に戻る。ｓ１５は、上述したｓ１３と同じである。
【００２６】
以上のように、このワンセグ放送受信機１では、ユーザが誤ってデータを記録している側のメモリカード１０を本体から取り出すのを防止でき、信頼性の向上が図れる。
【００２７】
また、ワンセグ放送の記録途中に、一方のメモリカード１０の空き容量がなくなった場合であっても、他方のメモリカード１０に継続して記録するので、ユーザの使い勝手も向上できる。
【００２８】
なお、本願発明は、上述したワンセグ放送受信機１だけでなく、撮像装置、音楽プレイヤ等の他の種類の携帯端末にも適用できる。
【図面の簡単な説明】
【００２９】
【図１】この発明の実施形態であるワンセグ放送受信機の主要部の構成を示すブロック図である。
【図２】このワンセグ放送受信機の概略の外観図である。
【図３】カードドア周辺部の拡大図である。
【図４】ワンセグ放送受信機における記録動作を示すフローチャートである。
【符号の説明】
【００３０】
１−ワンセグ放送受信機
２−制御部
３−受信部
４−記録部
５−操作部
６−表示部
７−開閉部
１０−メモリーカード
１１（１１ａ、１１ｂ）−カードドア
１２（１２ａ、１２ｂ）−開ボタン
１３−カード収納部
１４−ロック部材
１５−嵌挿穴
【図１】
2008263428.tif 000003
【図２】
2008263428.tif 000004
【図３】
2008263428.tif 000005
【図４】
2008263428.tif 000006